【事件の表示】
　平成１１年商標登録願第９４５４０号拒絶査定に対する審判事件について、次のとおり審決する。
【結　論】
　本件審判の請求は、成り立たない。
【理　由】
１　本願商標
　本願商標は、「プライスダウンドットコム」の片仮名文字及び「ｐｒｉｃｅ−ｄｏｗｎ．ｃｏｍ」の欧文字を二段に横書きしてなり、第１２類、第３５類、第３６類及び第４２類に属する願書記載のとおりの商品及び役務を指定して、平成１１年１０月１８日に登録出願、その後、指定商品及び指定役務については、平成１３年４月２５日付け手続補正書により、第１２類「自動車並びにその部品及び附属品，中古自動車，二輪自動車・自転車並びにそれらの部品及び附属品，乳母車，人力車，そり，手押し車，荷車，馬車，リヤカー，車いす，荷役用索道，カーダンパー，カープッシャー，カープラー，牽引車，陸上の乗物用の動力機械器具，軸，軸受け，軸継ぎ手，動力伝導装置，緩衝器，ばね，制動装置，陸上の乗物用の交流電動機又は直流電動機，タイヤ又はチューブの修繕用ゴムはり付け片，乗物用盗難警報器，落下傘」、第３５類「広告，経営の診断及び指導，市場調査，商品の販売に関する情報の提供，中古自動車の販売に関する情報の提供，財務書類の作成，職業のあっせん，競売の運営，輸出入に関する事務の代理又は代行，書類の複製，速記，筆耕，文書又は磁気テープのファイリング，建築物における来訪者の受付及び案内，広告用具の貸与，タイプライター・複写機及びワードプロセッサーの貸与」、第３６類「中古自動車の評価，中古自動車の評価に関する情報の提供，骨董品の評価，美術品の評価，宝玉の評価，ゴルフ会員権・スポーツ施設の会員権・リゾートクラブ会員権又は会員制ホテル会員権の評価，ゴルフ会員権・スポーツ施設の会員権・リゾートクラブ会員権又は会員制ホテル会員権に関する情報の提供，ゴルフ会員権・スポーツ施設の会員権・リゾートクラブ会員権又は会員制ホテル会員権の売買の代理又は媒介，生命保険契約の締結の媒介，生命保険の引受け，損害保険契約の締結の代理，損害保険に係る損害の査定，損害保険の引受け，保険料率の算出，保険情報の提供，建物の管理，建物の貸借の代理又は媒介，建物の貸与，建物の売買，建物の売買の代理又は媒介，建物又は土地の鑑定評価，土地の管理，土地の貸借の代理又は媒介，土地の貸与，土地の売買の代理又は媒介，建物又は土地の情報の提供，企業の信用に関する調査，慈善のための募金，預金の受入れ（債券の発行により代える場合を含む。）及び定期積金の受入れ，資金の貸付け及び手形の割引，内国為替取引，債務の保証及び手形の引受け，有価証券の貸付け，金銭債権の取得及び譲渡，有価証券・貴金属その他の物品の保護預かり，両替，金融先物取引の受託，金銭・有価証券・金銭債権・動産・土地若しくはその定著物又は地上権若しくは土地の賃借権の信託の引受け，債券の募集の受託，外国為替取引，信用状に関する業務，有価証券の売買・有価証券指数等先物取引・有価証券オプション取引及び外国市場証券先物取引，有価証券の売買・有価証券指数等先物取引・有価証券オプション取引及び外国市場証券先物取引の媒介・取次又は代理，有価証券市場における有価証券の売買取引・有価証券指数等先物取引及び有価証券オプション取引の委託の媒介・取次ぎ又は代理，外国有価証券市場における有価証券の売買取引及び外国市場証券先物取引の委託の媒介・取次ぎ又は代理，有価証券の引受け，有価証券の売出し，有価証券の募集又は売出しの取扱い，株式市況に関する情報の提供」及び第４２類「車検のための自動車の検査，車検申請手続の代理，宿泊施設の提供，宿泊施設の提供の契約の媒介又は取次ぎ，飲食物の提供，美容，理容，入浴施設の提供，写真の撮影，オフセット印刷，グラビア印刷，スクリーン印刷，石版印刷，凸版印刷，気象情報の提供，求人情報の提供，結婚又は交際を希望する者への異性の紹介，婚礼（結婚披露を含む。）のための施設の提供，葬儀の執行，墓地又は納骨堂の提供，一般廃棄物の収集，産業廃棄物の収集，庭園又は花壇の手入れ，庭園樹の植樹，肥料の散布，雑草の防除，有害動物の防除（農業・園芸又は林業に関するものに限る。），建築物の設計，測量，地質の調査，デザインの考案，情報システムの開発，情報システム構築に関するコンサルティング，電子計算機のプログラムの設計・作成又は保守，医薬品・化粧品又は食品の試験・検査又は研究，建築又は都市計画に関する研究，公害の防止に関する試験又は研究，電気に関する試験又は研究，土木に関する試験又は研究，農業・畜産又は水産に関する試験・検査又は研究，著作権の利用に関する契約の代理又は媒介，翻訳，通訳，施設の警備，身辺の警備，個人の身元又は行動に関する調査，あん摩・マッサージ及び指圧，きゅう，柔道整復，はり，医業，健康診断，歯科医業，調剤，医療・看護又は介護に関する相談，健康・医療・介護に関する情報の提供，栄養の指導，家畜の診療，保育所における乳幼児の保育，老人の介護及び養護，老人介護情報の提供，介護用品の貸与，編機の貸与，ミシンの貸与，衣服の貸与，植木の貸与，計測器の貸与，コンバインの貸与，祭壇の貸与，ガソリンステーション用装置（自動車の修理又は整備業のものは除く。）の貸与，自動販売機の貸与，消火器の貸与，超音波診断装置の貸与，展示施設の貸与，電子計算機（中央処理装置及び電子計算機用プログラムを記憶させた電子回路・磁気ディスク・磁気テープその他の周辺機器を含む。）の貸与，布団の貸与，ルームクーラーの貸与」と補正されたものである。
　　
２　原査定の拒絶の理由
　原査定は、「本願商標は、『値下げ』を意味する『プライスダウン』『ｐｒｉｃｅーｄｏｗｎ』及びインターネット上のドメイン名を表すものとして使用され、米国で登録された企業や組織であることを意味する『ドットコム』『．ｃｏｍ』の各文字を『プライスダウンドットコム』『ｐｒｉｃｅーｄｏｗｎ．ｃｏｍ』と普通に用いられる方法で書してなるものであり、指定商品又は指定役務との関係において、これからは、『商品の価格又は役務の対価を値下げして提供する会社』の意味合いを容易に認識されるものであるから、このような商標をその指定商品又は指定役務について使用するも、需要者が何人かの業務に係る商品又は役務であるかを認識できるものとはいえない。したがって、本願商標は、商標法第３条第１項第６号に該当する。」旨認定、判断して本願を拒絶したものである。 
　　
３　当審の判断
（１）本願商標は、「プライスダウンドットコム」及び「ｐｒｉｃｅ−ｄｏｗｎ．ｃｏｍ」の文字よりなるところ、その構成前半の「プライスダウン」及び「ｐｒｉｃｅ−ｄｏｗｎ」は、「商品の価格の引き下げ、値下げ」を意味する語であり、その構成後半の「ドットコム」及び「．ｃｏｍ」は、「インターネット関連の新興企業などに対する俗称又はその企業が作るＷｅｂサイトのアドレスにつく記号」（集英社発行　ｉｍｉｄａｓ2003）として知られているものである。そして、株式会社ジー・サーチの提供に係る「ＧーＳｅａｒｃｈ新聞記事検索」により、「．ｃｏｍ」または「ドットコム」を検索してみると、多数の会社のホームページアドレスの最後には「．ｃｏｍ」が使用されていることが認められる。
　ところで、インターネットその他の電子計算機端末による通信ネットワークを利用した電子商取引が一般化してきている現在、価格を「プライスダウン（値下げ）」した商品等を、インターネットのホームページ等を利用して紹介、販売等がされていることは一般的に行われており、その事実は、例えば、以下のインターネットのホームページ情報によっても窺い知ることができる。
（ア）http://noriz.hp.infoseek.co.jp/live-3.html
「プライスダウン」を実況しよう！ 春の心地よい風が流れ、商売人たちの活気、そして客とのふれあい、人とのふれあいで溢れるこの○○商店街。夏には、街中の人々がムーンウォークで街を練り歩く「ムーンウォーク祭り」が開催されますこの地にて、今日、プライスダウン世界大会が開催されています。 
（イ）http://homepage2.nifty.com/tukinomegumi/sale.htm
　** プライスダウン **　季節はずれの商品や、店主の気まぐれなセール品です。この機会に是非どうぞ。
（ウ）http://www.rakuten.co.jp/antiwatch/428988/
　《プライスダウンコーナー》ご注文の前にメールで在庫をお問い合せ下さい。
（エ）http://www.one-lax.com/page094.html
　今月のプライスダウン 3/01から3/31まで、こちらの商品を今月は５名様限定で提供いたします。早いもの順なのでお早めにどうぞ♪
（オ）http://www.to-yu.com/pizza-cali/f_pizza/pricedown.htm
　期間限定　プライスダウン　実施中！２００２年２月末日まで、下記の商品のプライスダウンを実施しております。サイズにより実施していないものがあります、ご了承ください。
（カ）http://www.sotec.co.jp/news/2002/0830_pricedown.html
　デスクトップ、ノートブックなど、プライスダウンでお求めやすく！！株式会社ソーテックは、デスクトップパソコン、ノートブックパソコン、液晶ディスプレイの価格改定を実施いたします。新価格、及び対象機種は以下のとおりです。8月30日(金)より、新価格でソーテックダイレクト及び全国ソーテック製品取扱店でお買い求めいただけます。
（キ）http://web-db.u-shop.co.jp/stk/stk_pd.cfm
　中古ゴルフクラブ販売  U-SHOP.CO.JP 《 プライスダウン商品》, ショッピングカートの中を見る. プライスダウン商品、 在庫は41モデル、296件です。, 2003年2月6日 19:07 現在. モデルを選ぶ、カタログへ・・・。.
（ク）http://www.h3.dion.ne.jp/%7Ekk-akane/
 　不動産のあかね 〈12/7〉売土地・旭ヶ丘２丁目１６５５万円ＵＰ！〈12/7〉中古戸建・青谷１９８０万円ＵＰ！〈12/7〉中古戸建・旭ヶ丘２丁目4280万円より3990万円にプライスダウン〈12/7〉中古戸建・国分本町７丁目1580万円より1530万円にプライスダウン(間取図有)。
（ケ）http://www05.u-page.so-net.ne.jp/gf6/netporto/touroku1.htm 
　直前プライスダウン登録フォーム、このフォームは、「お宿」の方が、メールマガジン「超マル得！お宿直前バーゲン情報」に 「直前プライスダウン特別宿泊プラン」を掲載する為のものです。 読者の皆さんは、使用しないで下さいね。「宿泊施設経営」の皆さまへ 当フォームは、メールマガジン「超マル得！お宿直前バーゲン情報」およびサイト「お宿直前 バーゲン情報」に、「お宿」の皆さまが特別にプライスダウンして頂いた「直前プライスダウン 特別宿泊プラン」を掲載するための、連絡フォームです。
（２）そこで、本願商標「プライスダウンドットコム」及び「ｐｒｉｃｅ−ｄｏｗｎ．ｃｏｍ」についてみるに、上記した事情よりすれば、これをその指定商品及び指定役務に使用した場合、本願商標に接する需要者は、その構成中の「ドットコム」及び「．ｃｏｍ」の文字部分は、インターネットのドメイン名として使用されている会社組織を表すものと容易に理解、認識し、全体として、インターネット等の通信ネットワークを利用したプライスダウン品あるいは提供の用に供する物であるかのごとく理解するにとどまり、自他商品又は役務の識別標識として認識しないものというのが相当である。
　そうすると、本願商標は、需要者が何人の業務に係る商品及び役務であるかを認識することができない商標といわなければならない。
　したがって、本願商標が商標法第３条第１項第６号に該当するとした原査定は、妥当なものであって、取り消す限りでない。
　よって、結論のとおり審決する。